(57)【要約】      （修正有）【課題】携帯型健康促進用吸入器に人体の健康に有効に作用する有効物質を挿置し、当該有効物質の微粉末及び昇華物又は気化物を経口吸入するための携帯型健康促進用吸入器を提供する。【解決手段】健康剤支持体１５は繊維又は不織布等でなり重ね合わせたとき又は折畳んだときに良好な通気性を有する。健康に有用であるか又は爽快感を得ることができる微粉体、液体、固体の物質で構成される健康剤１６は前記健康剤支持体１５に付着・支持又は含浸・封入させる。健康剤収納ケース１３に前記健康剤支持体１５を収納する。蓋１３ｂの上面に貫通形成した複数又は多数個の通気孔１３ｆ、１３ｆ・・・・を流過した気流を前記健康剤支持体１５に流過させて健康要素を含んだ気流を吸入する。【選択図】図１
0003160759.tif 000002
【実用新案登録請求の範囲】
【請求項１】
健康剤及び該健康剤を付着・支持又は含浸・封入する健康剤支持体を収容する健康剤収納ケースと、該健康剤収納ケースの前方縦壁に接続・固定され外周部及び該外周部に一体形成された段差部をその内部に貫通細孔付座を備えた接続管と、該接続管の段差部に嵌挿する嵌挿部及び該嵌挿部と一体形成された偏平形状の吸い口部を一体形成した吸入部材とで構成されたことを特徴とする携帯型健康促進用吸入器。
【考案の詳細な説明】
【技術分野】
【０００１】
本考案は喫煙用パイプ状の携帯型健康促進用吸入器であって、当該携帯型健康促進用吸入器に人体の健康に有効に作用する有効物質を挿置し、当該有効物質の微粉末及び昇華物又は気化物を経口吸入するための携帯型健康促進用吸入器に関する。
【背景技術】
【０００２】
従来、この種、従来技術の一例としての吸入器は図２に示す実開平７−２７５９６号公開実用新案公報に開示された技術がある。これについて説明すれば、図２に示すように、本体ケース１に内蔵されたタンク２には水が貯えられ、ヒータ３に通電すると吹出ノズル４から噴出し、その蒸気流のベンチュリー作用により吸上ノズル５に接続されたチューブ６によって薬液カップ７内の薬液８が吸上げられるとともに、加圧蒸気と混合し前方に放散される。この放散された混合蒸気を吹出ノズル４の前方に設けた集束筒９によって集束し、この集束筒９から混合蒸気を口腔内に吸入させる吸入器の技術である。
【先行技術文献】
【特許文献】
【０００３】
【特許文献１】実開平７−２７５９６号公開実用新案公報
【考案の概要】
【考案が解決しようとする課題】
【０００４】
上述した従来の技術によれば、ヒータ３で加熱し発生させた蒸気流に該蒸気流のベンチュリー作用により、吸上ノズル５に接続したチューブ６によって薬液カップ７内の薬液８を吸上げて前記蒸気流に薬液８を混合して吸入させるので、ヒータ３用の電源を必要とし吸入器の本体ケース１の全体寸法が大きく使用者が携帯することができないという問題点があった。また、ヒータ３で吸入器のタンク２に貯留した水を加熱し蒸気を発生させるので、使用者が任意のときに即時に吸入できないという問題点があった。さらに、発生させた蒸気流のベンチュリー作用によって薬液８を吸上げるので、吸入する物質は液体に限定され薬剤の適用範囲が狭いという問題点があった。
【課題を解決するための手段】
【０００５】
本考案に係る携帯型健康促進用吸入器は叙上の問題点を解決すべく考案したものであり、次の構成、手段から成立する。
すなわち請求項１記載の考案によれば、健康剤及び該健康剤を付着・支持又は含浸・封入する健康剤支持体を収容する健康剤収納ケースと、該健康剤収納ケースの前方縦壁に接続・固定され外周部及び該外周部に一体形成された段差部をその内部に貫通細孔付座を備えた接続管と、該接続管の段差部に嵌挿する嵌挿部及び該嵌挿部と一体形成された偏平形状の吸い口部を一体形成した吸入部材とで構成されたことを特徴とする。
【考案の効果】
【０００６】
本考案に係る携帯型健康促進用吸入器は叙上の構成を有するので次の効果がある。
すなわち請求項１記載の考案によれば、健康剤及び該健康剤を付着・支持又は含浸・封入する健康剤支持体を収容する健康剤収納ケースと、該健康剤収納ケースの前方縦壁に接続・固定され外周部及び該外周部に一体形成された段差部をその内部に貫通細孔付座を備えた接続管と、該接続管の段差部に嵌挿する嵌挿部及び該嵌挿部と一体形成された偏平形状の吸い口部を一体形成した吸入部材とで構成されたことを特徴とする携帯型健康促進用吸入器を提供する。
このような構成としたので、当該携帯型健康促進用吸入器は携帯型であるため、いつでもどこでも使用することが可能となり、しかも使用者はこの携帯型健康促進用吸入器を使用することにより人体の各種臓器に於いて健康促進を実現でき、加えて小型かつ低廉に製作でき量産性の高い携帯型健康促進用吸入器を提供できるという効果がある。またこの携帯型健康促進用吸入器を使用する者は自ずと健康促進される効果と喫煙習慣を排除する機能も存在するという効果もある。
【図面の簡単な説明】
【０００７】
【図１】本考案に係る携帯型健康促進用吸入器に於ける実施形態を示すものであって、当該携帯型健康促進用吸入器の構成を示す斜視図である。
【図２】従来の技術に於ける吸入器の一例を示す垂直断面図である。
【考案を実施するための形態】
【０００８】
以下、本考案に係る携帯型健康促進用吸入器に於ける実施の形態について図１に基づき詳細に説明する。
図１は本考案に係る携帯型健康促進用吸入器に於ける実施形態を示すものであって、該携帯型健康促進用吸入器の構成を示す斜視図である。
【０００９】
本考案に係る携帯型健康促進用吸入器Ａに於いて、接続管１０は中空円筒状であって例えば熱可塑性樹脂の射出成形によって形成される。該接続管１０は円周に沿って一方に段差部１０ａと他方に外周部１０ｂを有しており、該段差部１０ａと外周部１０ｂは連通している。すなわち、該段差部１０ａと外周部１０ｂ内に一連の通気中空部１０ｃを形成している。そして該段差部１０ａは吸入部材１２の嵌挿部１２ｃに挿着する。
【００１０】
吸入部材１２は先端部分に吸入口１２ａを有した例えば薄板状の吸い口部１２ｂと段差部１０ａに挿着する中空状の嵌挿部１２ｃを備えている。そして吸い口部１２ｂと中空状の嵌挿部１２ｃは連通している。
【００１１】
前記段差部１０ａの外径寸法と前記嵌挿部１２ｃの内径寸法は略同一寸法に形成する。詳しくは段差部１０ａの外径寸法を段差部１０ａの長さ方向に於いて根元部から先端部向かって徐々に径小に形成する。また、前記嵌挿部１２ｃの内径寸法を嵌挿部１２ｃの長さ方向に於いて内奥部から開放端部に向かって徐々に径大に形成する。そして段差部１０ａの根元まで嵌挿部１２ｃに挿入したとき、段差部１０ａと嵌挿部１２ｃは若干の締め代をもって嵌合する寸法に設定する。而して、本考案に係る携帯型健康促進用吸入器Ａの使用者が両手の指で後述する接続管１０とこれに螺合した健康剤収納ケース１３及び吸入部材１２をそれぞれ保持して、健康剤収納ケース１３及び吸入部材１２を互いに容易に嵌合しかつ抜去することができる。
【００１２】
１３は後述する種々の健康剤１６を収容する例えば直方体形状を有した健康剤収納ケースであって、健康剤収納ケース本体１３ａ、蓋１３ｂ及びヒンジ１３ｃで構成する。健康剤収納ケース１３はポリプロピレン等の柔軟性を有する熱可塑性樹脂による射出成形により健康剤収納ケース本体１３ａ、蓋１３ｂ及びヒンジ１３ｃを一体的に製作する。そして前記健康剤収納ケース本体１３ａと前記蓋１３ｂはヒンジ１３ｃで一体成形するので、該ヒンジ１３ｃを支点として該蓋１３ｂを該健康剤収納ケース本体１３ａに対して任意に開放・閉止することができる。また、図１に示すように該ヒンジ１３ｃの反対側の健康剤収納ケース本体１３ａの上端の1辺に係止突起１３ｄを一体的に形成し、該蓋１３ｂの１辺に係止爪１３ｅを一体的に形成する。そして該係止突起１３ｄと該係止爪１３ｅを互いに噛み合わせて蓋１３ｂを健康剤収納ケース本体１３ａに閉止する。また複数又は多数個の通気孔１３ｆ、１３ｆ・・・・を蓋１３ｂの上面に貫通形成してある。蓋１３ｂの該通気孔１３ｆ、１３ｆ・・・・から内部へ空気が流過する。
【００１３】
１３ｇは健康剤収納ケース本体１３ａの前方縦壁面１３ｈに貫通形成した接続管用挿通孔であって接続管１０に連結する。接続管用挿通孔１３ｇの内部孔の径長は前記接続管１０の外周部１０ｂの外径長に略同一に形成する。１４は中空円筒形状の溶着リングである。溶着リング１４は健康剤収納ケース１３と同じくポリプロピレン等の熱可塑性樹脂で形成する。溶着リング１４の内径長は前記接続管１０の外周部１０ｂの外径長に略同一に形成する。そして接続管１０の外周部１０ｂを接続管用挿通孔１３ｇに挿入し、図１に示すように外周部１０ｂの後端面を健康剤収納ケース本体１３ａの内側まで挿入・突出させて溶着リング１４を嵌合させかつ溶着リング１４の後端面を健康剤収納ケース本体１３ａの前方縦壁面１３ｈの内側に密着させる。次に超音波溶着機（図示せず）を用いて当該密着部位周辺に於いて溶着リング１４を接続管１０と健康剤収納ケース１３に溶着・固定する。而して接続管１０と健康剤収納ケース１３が接続・固定する。
【００１４】
前記段差部１０ａ内部に於ける中空部分は、後述するフィルタ１１を挿置するための中空円筒状の空間をなしている。１０ｄは貫通細孔付座であって接続管１０に於ける一連の通気中空部１０ｃ内の長さ方向の略中間位置に一体成形する。該貫通細孔付座１０ｄは薄板状の円盤形状であり、複数又は多数個の貫通細孔を形成し、これにより前記段差部１０ａと前記外周部１０ｂは連通する。また貫通細孔付座１０ｄの中心部には段差部１０ａの方向すなわち吸入部材１２側に向かって突出した円筒状の突起１０ｅを一体成形している。この円筒状の突起１０ｅはフィルタ１１が貫通細孔付座１０ｄの全面に衝当することを防ぐことで後述する健康剤１６が貫通細孔付座１０ｄに目詰まりすることを防止する。
尚、該フィルター１１は健康剤１６の種類によっては設けなくても本考案を達成できる。
【００１５】
吸入部材１２の外形形状は、図１に示すように後端側すなわち嵌挿部１２ｃは円筒形を有し、略中央部から先端方向に次第に偏平な形状として形成し、吸い口部１２ｂの外形は本考案に係る携帯型健康促進用吸入器Ａの使用者が口にくわえやすいように略偏平楕円形状を有している。
【００１６】
１１はフィルタであって、巻きタバコに用いられているフィルタと同様の材料すなわちアセテート繊維を円筒形に成形したものである。フィルタ１１は図１に示すように、段差部１０ａの内部に挿置する。尚、フィルタ１１の材質はアセテート繊維に限定するものではなく、通気性を有するものであればよい。
【００１７】
１５は健康剤支持体であって後述する健康剤１６を付着・支持し又は含浸・封入させる。健康剤支持体１５は繊維又は不織布等でなり重ね合わせたとき又は折畳んだときに良好な通気性を有する。
【００１８】
１６は健康剤であり前記健康剤支持体１５に包み込む又は含浸させる。健康剤１６は使用者が本考案に係る携帯型健康促進用吸入器Ａを用いて人体内に吸入したとき健康に有用であるか又は爽快感を得ることができる微粉体、液体、固体の物質で構成される。微粉体の例としては呼吸器系疾病、例えば喘息、気管支炎、上気道炎などに有効な医薬部部外品等であって、微粉体をそのまま吸入する。液体の例としては植物の葉や茎、根、樹皮、花びらや果実の皮に含まれている芳香性の成分である精油やハッカ油、アルコールで抽出した香料やアロマ等である。固体の例としては、メントール等であり昇華して吸入に適するものをさす。
【００１９】
次に本考案に係る携帯型吸入器Ａについて、図１に基づきその動作等を説明する。
使用者がその口で吸入部材としての吸い口部１２ｂを咥えると、健康剤１６の健康要素を含んだ気流が接続管１０の内部に流過し、貫通細孔付座１０ｄを経て接続管１０の段差部１０ａのフィルタ１１を通り使用者の口から体内に這入りこむ。そこで体内の各臓器を刺激し使用者の体調を良好にする。
【産業上の利用可能性】
【００２０】
本考案に係る携帯型健康促進用吸入器は特に健康剤に含有する健康要素を含んだ気流を吸入する際、微粉末と固体を混合した健康剤及び液体と固体を混合した健康剤を健康剤支持体に付着・支持し又は含浸・封入させることにより異なった効果を発現させるときにも利用できる。
【符号の説明】
【００２１】
１０      接続管
１０ａ    段差部
１０ｂ    外周部
１０ｃ    通気中空部
１０ｄ    貫通細孔付座
１１      フィルタ
１２      吸入部材
１２ａ    吸入口
１２ｂ    吸い口部
１２ｃ    嵌挿部
１３      健康剤収納ケース
１３ａ    健康剤収納ケース本体
１３ｂ    蓋
１３ｃ    ヒンジ  
１３ｄ    係止突起
１３ｅ    係止爪
１３ｆ    通気孔
１３ｇ    接続管用挿通孔
１３ｈ    前方縦壁面
１４      溶着リング
１５      健康剤支持体
１６      健康剤
【図１】
0003160759.tif 000003
【図２】
0003160759.tif 000004